(57)【特許請求の範囲】
【請求項１】
画面に手書き入力された情報に基づく画像を表示可能な情報入力表示装置において、
手書き入力にて押下された画面上の位置の座標を検出する座標検出手段と、
前記座標検出手段の座標検出周期を制御する検出周期制御手段と、
前記座標検出手段によって前々回検出された座標と前回検出された座標とに基づいて今回検出される座標を予測する座標予測手段と、を有し、
前記検出周期制御手段は、前記座標予測手段で予測された今回の座標と前記座標検出手段によって検出された今回の座標とのずれ量に基づいて前記座標検出手段の座標検出周期を制御するものであり、さらに、
前記ずれ量が所定の値よりも大きい場合には、前記検出周期制御手段が前記座標検出手段の座標検出周期を第１の値に設定し、
前記ずれ量が前記所定の値よりも小さい場合には、前記座標検出手段により検出された座標間を直線補間した表示が行われるように制御されるとともに、前記検出周期制御手段が前記座標検出手段の座標検出周期を前記第１の値よりも大きい第２の値に設定することを特徴とする情報入力表示装置。
【請求項２】
画面に手書き入力された情報に基づく画像を表示可能な情報入力表示装置において、
手書き入力にて押下された画面上の位置の座標を検出する座標検出手段と、
前記座標検出手段の座標検出周期を制御する検出周期制御手段と、
前記座標検出手段によって検出された前記座標に基づいて前記画面に画像を表示するとき、当該画像を補正する補正モードを選択するモード選択手段と、を有し、
前記検出周期制御手段は、前記モード選択手段により選択された前記補正モードに基づいて前記座標検出手段の座標検出周期を制御するものであり、さらに、
前記補正モードは、前記画像の線幅を補正するモードであり、
前記画像の線幅を第１の太さで表示するモードが選択されている場合には、前記検出周期制御手段が前記座標検出手段の座標検出周期を第１の値に設定し、
前記画像の線幅を前記第１の太さよりも太い第２の太さで表示するモードが選択されている場合には、前記検出周期制御手段が前記座標検出手段の座標検出周期を前記第１の値よりも大きい第２の値に設定することを特徴とする情報入力表示装置。
【請求項３】
画面に手書き入力された情報に基づく画像を表示可能な情報入力表示装置において、
手書き入力にて押下された画面上の位置の座標を検出する座標検出手段と、
前記座標検出手段の座標検出周期を制御する検出周期制御手段と、
前記座標検出手段によって検出された前記座標に基づいて前記画面に画像を表示するとき、当該画像を補正する補正モードを選択するモード選択手段と、を有し、
前記検出周期制御手段は、前記モード選択手段により選択された前記補正モードに基づいて前記座標検出手段の座標検出周期を制御するものであり、さらに、
前記補正モードは、前記画像をスプライン補正するモードであり、
前記画像をスプライン補正しないモードが選択されている場合には、前記検出周期制御手段が前記座標検出手段の座標検出周期を第１の値に設定し、
前記画像をスプライン補正するモードが選択されている場合には、前記検出周期制御手段が前記座標検出手段の座標検出周期を前記第１の値よりも大きい第２の値に設定することを特徴とする情報入力表示装置。
【請求項４】
前記座標検出手段によって前回検出された座標と今回検出された座標との変位量を検出する変位量検出手段をさらに有し、
前記検出周期制御手段は、前記変位量検出手段の検出結果に基づいて前記座標検出手段の座標検出周期を制御することを特徴とする請求項１乃至３のいずれか１項に記載の情報入力表示装置。
【発明の詳細な説明】
【技術分野】
【０００１】
本発明は、情報入力表示装置に関し、特に手書き入力が可能な情報入力表示装置に関する。
【背景技術】
【０００２】
近年、タブレットＰＣやＰＤＡ（Ｐｅｒｓｏｎａｌ  Ｄｉｇｉｔａｌ  Ａｓｓｉｓｔａｎｔ）のように、ＧＵＩ画面上にタッチペン等の座標入力デバイスを用いて直接手書き入力が可能な携帯表示端末が種々検討されている。この携帯表示端末は、文字画面や白紙の画面の上に手書きにより文字やイラスト等の図形を入力、保存して利用するものである。
【０００３】
ところで、このような携帯表示端末は、その電源として、通常、電池が用いられている。この為、消費電力を抑え、使用可能時間を延ばすことが要望されている。
【０００４】
そこで、このような要望にこたえる為、手書きで画像情報の入力を行う手書き領域と、所定の領域を押下することにより入力を行うタッチ領域とを設け、それぞれの領域における入力座標のサンプリング周期を異ならせることにより消費電力を低減させる方法が知られている（例えば、特許文献１参照）。具体的には、サンプリング周期を固定せず、手書き領域ではサンプリング周期を短く、一方、タッチ領域では長くする。すなわち、それぞれの領域で行われる入力態様に応じた必要なサンプリング周期にすることにより、サンプリング動作に係わる消費電力を低減するものである。
【特許文献１】特開平１０−２３２７４１号公報
【発明の開示】
【発明が解決しようとする課題】
【０００５】
このように、特許文献１に記載の方法は、それぞれの領域で行われる入力態様に応じて２つのサンプリング周期を切替えることにより、サンプリング動作に係わる消費電力（タッチパネルへの通電やサンプリング用ＡＤ変換器に係わる電力）を低減している。しかしながら、それぞれの領域におけるサンプリング周期は、それぞれ固定されていることから消費電力の低減は充分なものではないという問題がある。例えば、手書き入力の筆跡の変位速度が遅く、長いサンプリング周期でも手書き画像情報を欠落することなく充分品位ある画像として再現できる場合でも、固定されていることから電力を無駄に消耗するという問題がある。
【０００６】
本発明は、上記課題を鑑みてなされたもので、手書き入力画像の品位を損なうことなく、消費電力を低減し、使用可能時間を延ばすことが可能な情報入力表示装置を提供することを目的とする。
【課題を解決するための手段】
【０００７】
上記目的は、下記の１乃至４の何れか１項に記載の発明によって達成される。
【０００８】
１．画面に手書き入力された情報に基づく画像を表示可能な情報入力表示装置において、
手書き入力にて押下された画面上の位置の座標を検出する座標検出手段と、
前記座標検出手段の座標検出周期を制御する検出周期制御手段と、を有し、
前記検出周期制御手段は、
前記座標検出手段によって検出された前記座標の変位態様および前記画面に表示される前記画像の補正モード、またはその何れかに基づいて前記座標検出手段の座標検出周期を制御することを特徴とする情報入力表示装置。
【０００９】
２．前記座標検出手段によって前回検出された座標と今回検出された座標との変位量を検出する変位量検出手段を有し、
前記検出周期制御手段は、前記変位量検出手段の検出結果に基づいて前記座標検出手段の座標検出周期を制御することを特徴とする前記１に記載の情報入力表示装置。
【００１０】
３．前記座標検出手段によって前々回検出された座標と前回検出された座標とに基づいて今回検出される座標を予測する座標予測手段を有し、
前記検出周期制御手段は、前記座標予測手段で予測された今回の座標と前記座標検出手段によって検出された今回の座標とのずれ量に基づいて前記座標検出手段の座標検出周期を制御することを特徴とする前記１または２に記載の情報入力表示装置。
【００１１】
４．前記画面に表示させる前記手書き入力された情報に基づく画像の補正モードを選択するモード選択手段を有し、
前記検出周期制御手段は、前記モード選択手段の選択結果に基づいて前記座標検出手段の座標検出周期を制御することを特徴とする前記１乃至３の何れか１項に記載の情報入力表示装置。
【発明の効果】
【００１２】
本発明によれば、検出周期制御手段は、座標検出手段によって検出された座標の変位態様および画面に表示される画像の補正モード、またはその何れかに基づいて座標検出手段の座標検出周期を制御する構成とした。したがって、例えば、手書き入力の筆跡の変位速度が遅く検出される座標の変位量が小さい場合、座標検出周期を長くしても手書き画像情報を欠落することなく充分品位ある画像として再現できることから、座標検出周期を長くすることにより、消費電力を低減することができる。一方、手書き入力の筆跡の変位速度が速く検出される座標の変位量が大きい場合、座標検出周期を短くして、手書き画像情報を欠落させることなくサンプリングすることにより、手書き画像の品位を維持するようにする。これらにより、手書き入力画像の品位を損なうことなく、消費電力を低減し、使用可能時間を延ばすことが可能となる。
【００１３】
また、既に検出された座標の変位態様から今回検出される座標を予測し、予測した今回の座標と今回実際に検出された座標とのずれ量に基づいて座標検出周期を調整することもできる。したがって、例えば、ずれ量が小さい場合、手書き入力の筆跡は、直性的な線である可能性が高い。この為、座標検出周期を長くしても手書き画像情報を欠落することなく充分品位ある画像として再現できることから、座標検出周期を長くすることにより、消費電力を低減することができる。一方、ずれ量が大きい場合、手書き入力の筆跡は、細かな曲線、折れ線（文字）等である可能性が高い。この為、座標検出周期を短くして、手書き画像情報を欠落することなくサンプリングすることにより、手書き画像の品位を維持するようにする。これらにより、手書き入力画像の品位を損なうことなく、消費電力を低減し、使用可能時間を延ばすことが可能となる。
【００１４】
また、同様に、画面に表示させる手書き入力された情報に基づく画像の補正モード（線の太さ、スプライン、直線、楕円補正等）に基づいて座標検出周期を調整することもできる。したがって、例えば、補正モードが選択されている場合は、座標検出周期を長くしても補正により充分品位ある画像として再現できることから、座標検出周期を長くすることにより、消費電力を低減することができる。
【発明を実施するための最良の形態】
【００１５】
以下図面に基づいて、本発明に係る情報入力表示装置の実施の形態を説明する。尚、本発明を図示の実施の形態に基づいて説明するが、本発明は該実施の形態に限られない。
【００１６】
最初に、本発明の実施形態に係る情報入力表示装置１の外観を図１を用いて説明する。図１は、本発明の実施形態に係る情報入力表示装置１の外観を示す図である。
【００１７】
情報入力表示装置１は、図１に示すように、情報入力表示装置本体２、及びタッチペン５等を備えている。
【００１８】
情報入力装置本体２は、内部に設けられた後述のメモリカード２８に格納されている文書情報や通信部２９により図示しない通信ネットワークを介して外部のサーバ、情報端末等から受信した文書情報等に基づいた画像、及びタッチペン５を用いて情報入力表示装置本体２の表示部２１の画面に手書き入力された情報に基づく画像等を表示する携帯情報端末である。
【００１９】
次に、情報入力表示装置本体２の要部構成を図２を用いて説明する。図２は、情報入力表示装置本体２の概略構成を示すブロック図である。
【００２０】
情報入力表示装置本体２は、図２に示すように、表示部２１、表示ドライバ２２、タッチパネル２３、タッチパネルコントローラ２４、制御部２５、ＲＯＭ２６、ＲＡＭ２７、メモリカード２８、通信部２９、及び操作部３０等を有する。
【００２１】
表示部２１は、例えば、特開平１０−３２４１５５号公報に記載されている強誘電性液晶から構成される表示装置のように、表示内容を無電源で保持する機能（メモリ性）を有した所謂電子ペーパと称される表示媒体である。電子ペーパは、情報を電気的に書換えることができ、情報の書換え時のみ電力を消費する一方、書換えが終了した後には電力を消費することなく情報を表示させておくことが可能であり、消費電力を抑制することができる。
【００２２】
表示部２１は、メモリカード２８に格納されている文書情報や通信部２９により図示しない通信ネットワークを介して外部のサーバ、情報端末等から受信した文書情報等に基づいた画像、及びタッチペン５を用いて表示部２１の画面に手書き入力された情報に基づく画像等を表示する。尚、表示部２１には、タッチパネル２３と連動したＧＵＩによるメニュー選択用のスイッチボタンも表示させるようにしてもよい。
【００２３】
表示ドライバ２２は、表示部２１に再生表示される画像を構成する画像信号のバッファメモリを備えた表示部２１の駆動回路である。
【００２４】
タッチパネル２３は、表示部２１の画面に重ねて設けられ、タッチペン５を用いた手書き入力やメニュー選択入力によって押下された画面上の位置に対応するアナログ電圧を出力する。タッチパネル２３の構成としては、例えば、透明な抵抗体を表示部２１の画面に貼り付けた抵抗膜方式や、表示部２１の直下に検知用のパッドを設けてタッチペン５と交信する電磁誘導方式等を用いることができるが、本実施形態においては、抵抗膜方式での一例を示す。
【００２５】
タッチパネルコントローラ２４は、所定のサンプリング周期（座標検出周期）でタッチパネル２３のＸ方向、Ｙ方向に電圧を印加することにより、タッチパネル２３から出力される押下された画面上の位置に対応するアナログ電圧をデジタル信号に変換してＸＹ座標に変換する。尚、サンプリング周期は、制御部２５によって設定される。
【００２６】
ここで、タッチパネルコントローラ２４の要部構成を図３を用いて説明する。図３は、タッチパネルコントローラ２４の概略構成を示すブロック図である。
【００２７】
タッチパネルコントローラ２４は、タッチパネル検出制御部２４１、タイマ２４２、Ｘ方向加電回路２４３、Ｙ方向加電回路２４４、Ｘ方向ＡＤコンバータ２４５、及びＹ方向ＡＤコンバータ２４６等を有する。
【００２８】
タッチパネル検出制御部２４１は、制御部２５から出力されたサンプリング周期の値をタイマ２４２に設定する。タッチパネル検出制御部２４１は、タイマ２４２からのカウントアップ信号を受ける毎に、Ｘ方向加電回路２４３にタッチパネル２３のＸ方向に所定の電圧を印加させる動作、及びＹ方向ＡＤコンバータ２４６にタッチパネル２３から出力される押下された画面上の位置に対応するアナログ電圧をデジタル信号に変換してＹ座標を取得させる動作を実行させる。同様に、Ｙ方向加電回路２４４、Ｘ方向ＡＤコンバータ２４５にＸ座標を取得させる動作を実行させる。
【００２９】
タイマ２４２は、サンプリング周期の値を保持し、サイクリックにカウントアップ信号をタッチパネル検出制御部２４１に出力する。
【００３０】
Ｘ方向ＡＤコンバータ２４５、Ｙ方向ＡＤコンバータ２４６は、タッチパネル２３から出力される押下された画面上の位置に対応するアナログ電圧をデジタル信号に変換してそれぞれＸ座標、Ｙ座標を取得する。尚、タッチパネル２３が押下されていない時は、タッチパネル２３の座標値の範囲外、例えば、負数、または最大値より大きな値を示す。
【００３１】
Ｘ方向加電回路２４３、Ｙ方向加電回路２４４は、カウントアップ信号に同期したタッチパネル検出制御部２４１からの信号を受ける毎にタッチパネル２３のＸ方向、Ｙ方向に所定の電圧を印加する。このように、タッチパネル２３及びタッチパネルコントローラ２４は、本発明における座標検出手段として機能する。
【００３２】
図２に戻って、制御部２５は、表示画像生成部２５１、変位検出・予測部２５３、及びタッチパネルコントローラ制御部２５４等を有する。
【００３３】
制御部２５は、操作部３０やタッチパネルコントローラ２４からの信号、及び図示しない外部のサーバ等からの制御信号を受けて、情報入力表示装置本体２で行われる表示動作や画像信号処理動作を統括的に制御する。また、制御部３２は、メモリカード２８に格納されている文書情報や通信部２９により図示しない通信ネットワークを介して外部のサーバ、情報端末等から受信した文書情報等に基づいた画像、及びタッチペン５を用いて情報入力表示装置本体２の表示部２１の画面に手書き入力された情報に基づく画像等を生成し表示部２１に出力する。
【００３４】
表示画像生成部２５１は、メモリカード２８に格納されている文書情報や通信部２９により図示しない通信ネットワークを介して外部のサーバ、情報端末等から受信した文書情報、及びタッチパネル２３に手書き入力され、タッチパネルコントローラ２４で検出された座標データ等に基づいた画像を生成し表示部２１に出力する。
【００３５】
また、表示画像生成部２５１は、表示部２１に表示させる手書き入力された情報に基づく画像を補正する複数の補正モードを備えている。補正モードとしては、例えば、線幅、スプライン、直線、楕円補正等を有する。
【００３６】
変位検出・予測部２５３は、タッチパネルコントローラ２４で前回検出された座標と今回検出された座標との変位量を検出する。また、変位検出・予測部２５３は、タッチパネルコントローラ２４で前々回検出された座標と前回検出された座標とに基づいて今回検出される座標を予測する。このように、変位検出・予測部２５３は、本発明における変位量検手段、及び座標予測手段として機能する。
【００３７】
タッチパネルコントローラ制御部２５４は、本発明における検出周期制御手段として機能し、変位検出・予測部２５３検出された座標の変位量や予測された座標、すなわち座標の変位態様、及び十字キー３０２で選択された補正モード等に基づいて、サンプリング周期を設定し、タッチパネルコントローラ２４に出力する。尚、制御部２５で行われるサンプリング周期制御動作の詳細は後述する。
【００３８】
ＲＯＭ（Ｒｅａｄ  Ｏｎｌｙ  Ｍｅｍｏｒｙ）２６は、制御部２５が実行する各制御プログラム等を記憶する。
【００３９】
ＲＡＭ（Ｒａｎｄａｍ  Ａｃｃｅｓｓ  Ｍｅｍｏｒｙ）２７は、演算処理や制御処理等の作業データを一時的に格納する。
【００４０】
メモリカード２８は、文書データ等を保存する。
【００４１】
通信部２９は、例えば、無線ＬＡＮの無線通信デバイスで構成され、図示しない通信ネットワークを介して外部のサーバ、情報端末等との間で画像、及び制御信号等の送受信を行う。尚、無線通信手段としては、他にＢｌｕｅｔｏｏｔｈやワイヤレスＵＳＢ、また、低消費電力型のデバイスを用いてもよい。
【００４２】
操作部３０は、図１に示す電源スイッチ３０１や各種操作・設定を行う十字キー３０２等を備えたスイッチ群である。また、十字キー３０２は、本発明におけるモード選択手段として機能し、表示画像生成部２５１に行わせる補正モードを選択する。また、十字キー３０２は、メモリカード２８に格納されている文書情報や通信部２９により図示しない通信ネットワークを介して外部のサーバ、情報端末等から受信した文書情報等のうち、表示部２１に表示させる情報を選択する。
【００４３】
次に、サンプリング周期制御動作の流れを図４乃至図７に示すフローチャートを用いて説明する。
【００４４】
（制御フロー１）
図４は、サンプリング周期制御動作の一例によるフローチャートである。制御フロー１は、手書き入力された座標の変位量、すなわち、手書き入力の筆跡の変位速度に応じて、サンプリング周期を設定するものである。
【００４５】
最初に、制御部２５は、システムの初期化、通信ネットワークへの接続、初期画面の表示、各種モードの初期設定、及びサンプリング周期の初期値等を設定する（ステップＳ１１）。
【００４６】
次に表示画像生成部２５１は、十字キー３０２で選択された文書情報を、メモリカード２８、外部サーバ、情報端末等から読出し（ステップＳ１２）、読出した文書情報に基づいた文書画像を生成し、表示部２１に出力して表示させる（ステップ１３）。
【００４７】
次に、タッチパネルコントローラ２４は、座標検出動作を開始する（ステップＳ１４）。この時、タッチパネル２３が押下されていない場合、検出される座標値は、タッチパネル２３の座標値の範囲外、例えば、負数、または最大値より大きな値を示す。タッチパネル２３が押下され、適正な座標値が検出された場合（ステップＳ１５；Ｙｅｓ）、表示画像生成部２５１は、検出された座標値に基づいた手書き入力画像を生成し表示部２１に出力して文書画像に重ねて表示させる（ステップＳ１６）。この時、座標検出が１回目の場合は、検出された座標にのみ描画する。２回目以降の場合は、今回検出された座標と前回までに検出された座標、及びこれらの座標に挟まれる領域を補間して描画する。補間方法としては、例えば、直線補間等を用いることができる。
【００４８】
次に、変位・検出予測部２５３は、タッチパネルコントローラ２４で前回検出された座標と今回検出された座標との変位量を検出する（ステップＳ１７）。ここで、変位量は、２つの座標間の直線距離や近傍距離等とする。
【００４９】
次に、タッチパネルコントローラ制御部２５４は、変位・検出予測部２５３で検出された変位量と予め設定しておいた変位量に係わる閾値とを比較し、比較した結果、変位量が閾値より小さい場合（ステップＳ１８；Ｎｏ）、すなわち、手書き入力の筆跡の変位速度が遅い場合は、サンプリング周期を長くしても手書き画像情報を欠落することなく充分品位ある画像として再現できることから、サンプリング周期を長く設定する（ステップＳ２０）。一方、変位量が閾値より大きい場合（ステップＳ１８；Ｙｅｓ）、すなわち、手書き入力の筆跡の変位速度が速い場合は、サンプリング周期を短く設定して（ステップＳ１９）、手書き画像情報を欠落させることなくサンプリングすることにより、手書き画像の品位を維持するようにする。尚、サンプリング周期の設定に関しては、逆比例方式を用いて、変位量が大きくなるにともないサンプリング周期を連続的に短くするようにしてもよい。
【００５０】
このように、手書き入力された座標の変位量、すなわち、手書き入力の筆跡の変位速度に応じて、サンプリング周期を設定することにより、手書き入力画像の品位を損なうことなく、消費電力を低減することが可能となる。
【００５１】
（制御フロー２）
図５は、サンプリング周期制御動作の別例によるフローチャートである。制御フロー２は、既に検出された座標の変位態様から今回検出される座標を予測し、予測した今回の座標と今回実際に検出された座標とのずれ量に応じて、サンプリング周期を設定するものである。尚、図５に示すフローチャートにおいて、ステップＳ３１乃至ステップＳ３６の動作は、制御フロー１の場合の図４に示したステップＳ１１乃至ステップＳ１６の動作と同様なのでその説明は省略する。
【００５２】
ステップＳ３７において、変位・検出予測部２５３は、タッチパネルコントローラ２４で前々回検出された座標と前回検出された座標との変位態様に基づいて今回検出される座標を予測する。すなわち、前々回検出された座標から前回検出された座標への変位態様と前回検出された座標から今回検出される座標への変位態様が同じ態様であると想定して今回検出される座標を予測する。
【００５３】
次に、タッチパネルコントローラ制御部２５４は、変位・検出予測部２５３で予測された今回検出される座標とタッチパネルコントローラ２４で今回実際に検出された座標とのずれ量を算出する。そして、算出した該ずれ量と予め設定しておいたずれ量に係わる閾値とを比較し、比較した結果、ずれ量が閾値より小さい場合（ステップＳ３８；Ｎｏ）、手書き入力の筆跡は、直性的な線である可能性が高い。この為、サンプリング周期を長くしても直線補間等を行うことにより手書き画像情報を欠落することなく充分品位ある画像として再現できることから、サンプリング周期を長く設定する（ステップＳ４０）。一方、ずれ量が閾値より大きい場合（ステップＳ３８；Ｙｅｓ）、手書き入力の筆跡は、細かな曲線、折れ線（文字）等である可能性が高い。この為、サンプリング周期を短く設定して（ステップＳ３９）、手書き画像情報を欠落させることなくサンプリングすることにより、手書き画像の品位を維持するようにする。
【００５４】
このように、既に検出された座標の変位態様から今回検出される座標を予測し、予測した今回の座標と今回実際に検出された座標とのずれ量に応じて、サンプリング周期を設定することにより、手書き入力画像の品位を損なうことなく、消費電力を低減することが可能となる。
【００５５】
（制御フロー３）
図６は、サンプリング周期制御動作の他の別例によるフローチャートである。制御フロー３は、選択された補正モード（この場合、線幅補正）に応じて、サンプリング周期を設定するものである。尚、図６に示すフローチャートにおいて、ステップＳ５１乃至ステップＳ５６の動作は、制御フロー１の場合の図４に示したステップＳ１１乃至ステップＳ１６の動作と同様なのでその説明は省略する。
【００５６】
ステップＳ５７において、タッチパネルコントローラ制御部２５４は、十字キー３０２により手書き入力画像の線幅を太く表示するモードが選択されている場合（ステップＳ５７；Ｙｅｓ）、サンプリング周期を長く設定する（ステップＳ６０）。一方、細く表示するモードが選択されている場合（ステップＳ５７；Ｎｏ）、サンプリング周期を短く設定する（ステップＳ５９）。これは、手書き入力の筆跡が細かな曲線、折れ線（文字）等であり、サンプリング周期を短くして手書き画像情報を欠落させることなくサンプリングしたとしても、手書き入力画像の線幅を太く表示すると、これらの情報を忠実に再現することが困難である。この為、サンプリング周期を長くして、無駄な電力の消耗を抑制するものである。
【００５７】
（制御フロー４）
図７は、サンプリング周期制御動作の他の別例によるフローチャートである。制御フロー３は、選択された補正モード（この場合、スプライン補正）に応じて、サンプリング周期を設定するものである。尚、図７に示すフローチャートにおいて、ステップＳ７１乃至ステップＳ７５の動作は、制御フロー１の場合の図４に示したステップＳ１１乃至ステップＳ１５の動作と同様なのでその説明は省略する。
【００５８】
ステップＳ７６において、表示画像生成部２５１は、既に取得した座標に基づき生成した手書き入力画像と今回取得した座標とを元にして、スプライン補正を行い、手書き入力画像の補正画像を生成し、図示しない画像メモリに保存する（ステップＳ７６）。続いて、表示画像生成部２５１は、文書画像に重ねて表示されている手書き入力画像を消去し、画像メモリに保存されている補正画像を読出し、表示部２１に出力して文書画像に重ねて表示させる（ステップＳ７７）。手書き入力画像の消去は、表示部２１の手書き画像のある画素または小ブロックの文書画像の再表示等により行う。
【００５９】
次に、タッチパネルコントローラ制御部２５４は、十字キー３０２により手書き入力画像をスプライン補正するモードが選択されている場合（ステップＳ７８；Ｙｅｓ）、サンプリング周期を長く設定する（ステップＳ８０）。一方、補正しない場合（ステップＳ７８；Ｎｏ）、サンプリング周期を短く設定する（ステップＳ７９）。これは、サンプリング周期を長くすることにより手書き画像情報が多少欠落した場合でも、スプライン補正により充分品位ある画像として再現できることから、サンプリング周期を長くして、無駄な電力の消耗を抑制するものである。
【００６０】
以上、本発明を実施の形態を参照して説明してきたが、本発明は前述の実施の形態に限定して解釈されるべきでなく、適宜変更、改良が可能であることは勿論である。例えば、前述の実施の形態においては、制御フロー１乃至４を独立して実行するようにしたが、これらのフローを適宜組み合わせて実行するようにしてもよい。これにより、サンプリング周期がより適切に設定され、消費電力をさらに抑えることができる。
【図面の簡単な説明】
【００６１】
【図１】本発明の実施形態に係る情報入力表示装置の外観を示す図である。
【図２】情報入力表示装置本体の概略構成を示すブロック図ある。
【図３】タッチパネルコントローラの概略構成を示すブロック図である。
【図４】座標検出サンプリング周期制御の一例による流れを示すフローチャートである。
【図５】座標検出サンプリング周期制御の別例による流れを示すフローチャートである。
【図６】座標検出サンプリング周期制御の別例による流れを示すフローチャートである。
【図７】座標検出サンプリング周期制御の別例による流れを示すフローチャートである。
【符号の説明】
【００６２】
１  情報入力表示装置
２  情報入力表示装置本体
２１  表示部
２２  表示ドライバ
２３  タッチパネル
２４  タッチパネルコントローラ
２４１  タッチパネル検出制御部
２４２  タイマ
２４３  Ｘ方向加電回路
２４４  Ｙ方向加電回路
２４５  Ｘ方向ＡＤコンバータ
２４６  Ｙ方向ＡＤコンバータ
２５  制御部
２５１  表示画像生成部
２５３  変位検出・予測部
２５４  タッチパネルコントローラ制御部
２６  ＲＯＭ
２７  ＲＡＭ
２８  メモリカード
２９  通信部
３０  操作部
３０１  電源スイッチ
３０２  十字キー
５  タッチペン
【図１】
0004946915.tif 000002
【図２】
0004946915.tif 000003
【図３】
0004946915.tif 000004
【図４】
0004946915.tif 000005
【図５】
0004946915.tif 000006
【図６】
0004946915.tif 000007
【図７】
0004946915.tif 000008